(57)【要約】【課題】ＩＣカードの差し替えで複数の電話機を使用する場合、一方の電話機で使用した電話番号および使用履歴を他方の電話機でも共用できるようにする。【解決手段】ＵＩＭカード１０にはカード電話帳データ１３が記憶され、カード式携帯電話２０には電話帳記億部２５に電話機電話帳データが記憶されている。両電話帳には電話番号毎にその使用回数、最新使用日のデータが格納されている。電話使用のため、ＵＩＭカードを携帯電話に装着すると、メモリチェックが行われ、電話機電話帳データが共通の電話番号に関してカード電話帳データによって使用履歴データの更新が行われる。同時に、カード電話帳データにおいても、更新された電話機電話帳データの使用回数順および最新使用日順に基づいて電話番号が使用履歴情報と共に書き換えられる。こうして、複数の電話機の間でＵＩＭカードを介して電話番号および使用履歴を共用できる。【選択図】　　　　図１
2004088235.tif 000002
【特許請求の範囲】
【請求項１】
少なくともカード電話帳データを記憶するカード記憶部と、外部との情報の入出力および前記カード記億部の記憶情報の書き込みおよび読み出しを制御するカード制御部とからなり、
前記カード記憶部は、前記カード電話帳データの各電話番号毎の使用回数データまたは最新使用日データの少なくともいずれか一方の記憶領域を有するとともに、該記憶領域のデータが前記外部の情報に基づき書き込みまたは消去されることを特徴とする加入者識別カード。
【請求項２】
前記カード記憶部が有する前記カード電話帳データの記憶領域に入替可能領域が設けられ、該入替可能領域に記憶される電話番号データは前記電話番号の使用回数データまたは最新使用日データの少なくともいずれか一方に応じて書き込みまたは消去されることを特徴とする請求項１に記載の加入者識別カード。
【請求項３】
前記カード電話帳データは、前記外部からの電話番号と該電話番号の使用回数データまたは最新使用日データの少なくとも一方とにより書き換えられることを特徴とする請求項１または２に記載の加入者識別カード。
【請求項４】
電話番号で指定される通信先と通信を行う通信部と、
少なくとも前記電話番号と該電話番号の使用回数データと最新使用日データとからなる電話機電話帳データを記憶する電話帳記億部と、
加入者の識別情報およびカード電話帳データを記憶する、脱着可能な加入者識別カードとの間で情報の入出力を行うインタフェース部と、
前記電話機電話帳データおよびカード電話帳データの読み出しおよび書き込みを制御する制御部と、を含み、
前記制御部は、前記通信先との通信が行われる度に、前記電話機電話帳データおよびカード電話帳データにおける該通信先の電話番号の使用回数および最新使用日を更新することを特徴とするカード式電話装置。
【請求項５】
前記制御部は、前記カード電話帳データに変更が生じた場合、該カード電話帳データに基づいて前記電話帳記憶部の電話機電話帳データを更新することを特徴とする請求項４に記載のカード式電話装置。
【請求項６】
前記加入者識別カードが有するカード電話帳データは、前記電話機電話帳データの使用回数順または最新使用日順の少なくともいずれか一方のデータに基づいて電話番号データが書き換えられることを特徴とする請求項４に記載のカード式電話装置。
【発明の詳細な説明】
【０００１】
【発明の属する技術分野】
本発明は、電話装置に利用される加入者識別カードおよびカード式電話装置に関する。
【０００２】
【従来の技術および発明が解決しようとする課題】
従来より、携帯電話や自動車電話（以下、単に携帯電話という）のＩＤ（識別情報）が書き込まれたＳＩＭ（Ｓｕｂｓｃｒｉｂｅｒ　Ｉｄｅｎｔｉｔｙ　Ｍｏｄｕｌｅ）カードあるいはＵＩＭ（Ｕｓｅｒ　Ｉｄｅｎｔｉｔｙ　Ｍｏｄｕｌｅ）カードと呼ばれるＩＣカードがある。これらのＩＣカードを用いるカード式の携帯電話では、１つのＩＣカードを使用したい携帯電話に差し替えて使用することにより、複数の携帯電話を１台分のＩＣカードの加入で使用できるというメリットがある。しかし、その場合、複数の携帯電話の間で相手先の電話番号を共有化することはできなかった。
【０００３】
本発明は上記点に鑑みて、ＩＣカードを差し替えて複数の携帯電話を使用する場合、ＩＣカードに携帯電話で使用した電話番号およびその使用履歴に関するデータを記憶させることにより、このＩＣカードを介して一方の電話機で使用した電話番号やその使用履歴を他方の電話機でも共用できるようにするカード式電話装置およびそれに用いられる加入者識別カードを提供することを目的とする。
【０００４】
【課題を解決するための手段】
上記目的を達成するため、請求項１に記載の発明の加入者識別カードは、少なくともカード電話帳データを記憶するカード記憶部と、外部との情報の入出力および前記カード記億部の記憶情報の書き込みおよび読み出しを制御するカード制御部とからなり、前記カード記憶部は、前記カード電話帳データの各電話番号毎の使用回数データまたは最新使用日データの少なくともいずれか一方の記憶領域を有するとともに、該記憶領域のデータが前記外部の情報に基づき書き込みまたは消去されることを特徴とする。
【０００５】
この発明によれば、加入者識別カードが有するカード電話帳データは、外部からの、例えばカードが装着される携帯電話や自動車電話などの電話装置からの情報に基づき書き込みおよび読み出しがされるとともに、電話番号毎の使用回数データまたは／および最新使用日データを記憶領域に格納しているので、電話装置にカードを差し替えたときに、この記憶領域のデータを電話装置からの情報により書き込み／消去することにより、その電話装置が有する電話帳データとの間で電話帳に関する記憶情報を共有化することができる。特に、使用回数データを共有化することにより、ユーザの要求の多い可能性のある通信先の電話番号をカード電話帳に持つことができ、このカードを他の電話装置に差し替えることにより、他の電話装置との電話帳データの共用化ができる。
【０００６】
このカード電話帳データは、請求項２に記載のように、その記憶領域に入替可能領域が設けられ、該入替可能領域に記憶される電話番号データは前記電話番号の使用回数データまたは最新使用日データの少なくともいずれか一方に応じて書き込みまたは消去することができる。
【０００７】
請求項３に記載の発明は、前記カード電話帳データは、前記外部からの電話番号と該電話番号の使用回数データまたは最新使用日データの少なくとも一方とにより書き換えられることを特徴とする。
【０００８】
この発明によれば、カード電話帳データが、外部、例えばカードが装着される携帯電話や自動車電話などの電話装置から与えられる電話番号およびその電話番号の使用回数または最新使用日のデータの何れかに基づいて、書き込みまたは消去、すなわち更新されるので、カード電話帳データには外部が有する最新の電話帳データを与えることができる。
【０００９】
請求項４に記載の発明は、電話番号で指定される通信先と通信を行う通信部と、少なくとも前記電話番号と該電話番号の使用回数データと最新使用日データとからなる電話機電話帳データを記憶する電話帳記億部と、加入者の識別情報およびカード電話帳データを記憶する、脱着可能な加入者識別カードとの間で情報の入出力を行うインタフェース部と、前記電話機電話帳データおよびカード電話帳データの読み出しおよび書き込みを制御する制御部と、を含み、前記制御部は、前記通信先との通信が行われる度に、前記電話機電話帳データおよびカード電話帳データにおける該通信先の電話番号の使用回数および最新使用日を更新することを特徴とする。
【００１０】
この発明によれば、カード式電話装置が有する電話機電話帳には、通話先の電話番号とその使用回数および最新使用日とからなるデータが記憶され、該電話装置より通話が行われる度に、電話機電話帳データと装着された加入者識別カードのカード電話帳データとにおいて、それぞれ前記電話番号の使用履歴である使用回数および最新使用日を更新するので、電話機電話帳とカード電話帳とは同一の最新使用履歴を共有することができる。そして、加入者識別カードをカード式電話装置に脱着可能とすれば、別のカード式電話装置へ装着することにより、その別のカード式電話装置において電話番号およびその履歴情報を共有することができる。
【００１１】
請求項５に記載の発明は、前記制御部は、前記カード電話帳データに変更が生じた場合、該カード電話帳データに基づいて前記電話帳記憶部の電話機電話帳データを更新することを特徴とする。
【００１２】
この発明によれば、カード式電話装置において、装着されている加入者識別カードのカード電話帳データに変更が生じた場合、例えば、加入者識別カードの装着により、装着前とカード電話帳データが異なると判定される場合には、変更されたカード電話帳データによって電話装置の電話機電話帳データを更新するので、電話機電話帳データは、電話番号の使用履歴を常に最新の状態に保つことができる。
【００１３】
請求項６に記載の発明は、カード式電話装置に装着される前記加入者識別カードが有するカード電話帳データは、前記電話機電話帳データの使用回数順または最新使用日順の少なくともいずれか一方のデータに基づいて電話番号データが書き換えられることを特徴とする。
【００１４】
この発明によれば、加入者識別カードが有するカード電話帳データは、電話機電話帳データが有する使用回数順または最新使用日順の少なくともいずれかによって電話番号が書き換えられるので、カード電話帳は電話機電話帳との間で電話番号およびその使用履歴データを共用することができる。したがって、このようなカード電話帳を有する加入者識別カードを他のカード式電話装置に装着することにより、該他のカード式電話装置において電話番号およびその使用履歴データを共用することができる。
【００１５】
【発明の実施の形態】
本発明の実施形態を図面を用いて説明する。図１は、本実施形態の構成を示すブロック図である。本実施形態は携帯電話２０に加入者識別カードとしてのＵＩＭカード１０が携帯電話または自動車電話２０のインターフェース部２６であるソケットに装着されて電話として利用可能となる。なお、以下においては、携帯電話２０として説明するが、自動車電話であっても同様である。
【００１６】
ＵＩＭカード１０は、カード記億部１１と、カード記憶部１１の記憶データの更新および読み出しを行うと共に、ソケット等からなるインターフェース部２６を介して携帯電話２０との間でデータの送受を制御するカード制御部１４とからなる。なお、カード記憶部１１およびカード制御部１４は、携帯電話２０よりインターフェース部２６を介して供給される図示しない電源により動作する。
【００１７】
カード記憶部１１には、ＵＩＭカード１０の使用者である電話加入者の電話番号などの加入者を識別するための電話ＩＤ１２が記憶されていると共に、使用者の電話使用の履歴情報を含む電話帳データが、後述するような形態のカード電話帳のデータ１３として記憶されている。
【００１８】
携帯電話２０は、通信先あるいは通話先と無線通信を行う通信部２２と、各種情報を表示する液晶表示板（以下、ＬＣＤという）２３と、使用者が番号や文字を入力するためのキー入力部２４と、携帯電話２０の電話使用の履歴情報を含む電話機電話帳データを、後述するような形態で記憶する電話帳記憶部２５と、携帯電話２０の各部を制御する制御部２１と、上述したインターフェース部２６とからなる。
【００１９】
なお、上記ＵＩＭカード１０のカード制御部１４および携帯電話２０の制御部２１は、共に、それぞれコンピュータで構成されている。
【００２０】
次に、本実施形態の特徴部分である、カード電話帳データ１３および携帯電話２０の電話帳記億部２５に記憶される電話機電話帳データの記憶形態、および記憶データの更新方法について説明する。
【００２１】
本実施形態では、カード電話帳および電話機電話帳において、電話番号とその電話番号の使用回数と、その電話番号の最終使用日（または、最新使用日）および履歴の順位、すなわち最新使用日順に順番を付けられたデータとで１レコードとしている。
【００２２】
図６は携帯電話２０（この場合は携帯電話２０Ａとする）の電話帳記憶部２５における電話機電話帳データの記憶形態を、また、図７は携帯電話２０Ａに装着された状態でのＵＩＭカード１０のカード記憶部１１に記憶されているカード電話帳データ１３の記憶形態を、それぞれ示している。
【００２３】
また、図８は、携帯電話２０Ａとは別の携帯電話２０Ｂの電話帳記憶部２５に記憶されたデータ更新される前の電話機電話帳データを示し、図９は、その携帯電話２０Ｂへ、図７に示したカード電話帳１３を有するＵＩＭカード１０を装着した直後のデータ更新された電話機電話帳データを、それぞれ示している。
【００２４】
図６において、電話帳記憶部２５の電話機電話帳データは、本体部データと頻度順データおよび履歴順データとから構成されている。
【００２５】
本体部データは上記電話番号毎のレコードの集合体であり、図６の例では、電話番号Ａから電話番号Ｌまで１２のレコードからなっており、夫々の電話番号毎に使用回数（頻度）、最終使用日（＝最新使用日）および最終使用日の履歴順位が記憶されている。
【００２６】
さらに、頻度順データは、本体部データのうち使用回数の大きいものから順に所定数（図６の例では、４つ）抽出されたものであり、履歴順データは同じく本体部データのうち履歴の順番に所定数（図６の例では、４つ）抽出されたものである。
【００２７】
一方、ＵＩＭカード１０のカード電話帳データ１３は、図７に示すように、前記図６と同様に、電話番号、使用回数（頻度）、最終使用日（＝最新使用日）および最終使用日の順番（履歴）データを１レコードとして記憶されている。
【００２８】
さらに、カード電話帳データ１３は、記憶領域を、外部、すなわち携帯電話２０からの最新の頻度情報によって電話番号の入替が行われる領域ＲＢと、携帯電話２０からの最新の履歴情報によって電話番号の入替が行われるＲＣと、携帯電話２０からの最新情報によっては電話番号の入替が行われない領域ＲＡとに区別されている。
【００２９】
このように、カード電話帳データ１３に入替不可の領域ＲＡを設けることにより、携帯電話２０への脱着によるデータ更新が繰り返されても、ＵＩＭカード１０自体で保存しておきたい電話番号を確実に保持することができる。
【００３０】
図７には、一例として、領域ＲＡには、電話番号Ｗ，Ｘ，Ｙ，Ｚの４レコードが格納され、領域ＲＢには図６の電話機電話帳における頻度順データのうち領域ＲＡとの重複のない上位３つである電話番号Ｅ，Ｆ，Ｇの３レコードが格納され、領域ＲＣには同様に履歴順データのうち領域ＲＡおよびＲＢと重複のない上位３つの電話番号Ｈ，Ｉ，Ｊの３レコードが格納されている状態を示している。
【００３１】
次に、本実施形態における、ＵＩＭカード１０を携帯電話２０へ装着した直後の、電話帳記憶部２５の電話帳データおよびカード電話帳データ１３の更新手順を、図２〜図４のフローチャートを用いて説明する。
【００３２】
ステップＳ１００でＵＩＭカード１０を携帯電話２０に装着すると、直ちにステップＳ１０２でカード記憶部１１のカード電話帳データ１３のチェックを開始するために、カード電話帳データ１３の番地Ｎを０とする。
【００３３】
ステップＳ１０４で番地Ｎを１増加させ、ステップＳ１０６で番地Ｎがカード電話帳データ１３の最後の記憶データを示すかを判定し、最後のデータであればステップＳ１２４へ移行し、最後のデータでなければステップＳ１０８へ移行する。
【００３４】
ステップＳ１０８で、番地Ｎの電話番号と携帯電話２０の電話帳記億部２５の電話番号との比較を開始するために、電話帳記憶部２５の電話機電話帳データを構成する本体部データの番地Ｍを０とする。
【００３５】
ステップＳ１１０で番地Ｍを１増加させ、ステップＳ１１２で番地Ｍが本体部データの最後の記憶データを示すかを判定し、最後のデータであればステップＳ１０４へ戻り、最後のデータでなければステップＳ１１４へ移行する。
【００３６】
図３において、ステップＳ１１４では、カード電話帳データ１３の番地Ｎの電話番号と電話機電話帳データの番地Ｍの電話番号とが一致するかを判定し、一致しなければステップＳ１１０へ戻り、一致すればステップＳ１１６へ移行する。
【００３７】
ステップＳ１１６では、同じ電話番号の番地Ｎにおける最終使用日が番地Ｍにおける最終使用日より大きい、すなわちより新しいかを判定し、大きければステップＳ１１８へ移行し、そうでなければステップＳ１２０へ移行する。
【００３８】
ステップＳ１１８では、携帯電話２０の電話機電話帳データの本体部データである、電話帳記憶部２５の番地Ｍの最終使用日をカード電話帳データ１３の番地Ｎにおける最終使用日で置き換えることにより更新する。
【００３９】
次にステップＳ１２０で、同じ電話番号の番地Ｎの使用回数が番地Ｍの使用回数より大きいかを判定し、大きければステップＳ１２２へ移行し、そうでなければステップＳ１１０へ戻る。
【００４０】
ステップＳ１２２では、携帯電話２０の電話帳データの本体部データである、電話帳記億部２５の番地Ｍの使用回数をカード電話帳データ１３の番地Ｎにおける使用回数で置き換えることにより更新する。
【００４１】
ここまでの処理方法を、図７，８，９を参照して説明する。図８に示される電話機電話帳データを有する携帯電話２０Ｂへ、図７に示されるカード電話帳データを有するＵＩＭカード１０を装着した直後の更新された携帯電話２０Ｂの電話機電話帳データを図９に示す。
【００４２】
図７と図８との共通の電話番号である番号Ｘ，Ｅ，Ｆについて、電話機電話帳データの本体部を使用回数の多い、あるいは最終使用日の新しいデータでそれぞれ置き換える。
【００４３】
すなわち、番号Ｘはカード電話帳データの使用回数２および最終使用日２００１／０８／３０で置き換えられ、番号Ｅはカード電話帳データの使用回数７および最終使用日２００１／１１／３０で置き換えられ、さらに、番号Ｆはカード電話帳データの使用回数５および最終使用日２００１／１２／１０で置き換えられている。なお、その他の電話機電話帳のカード電話帳１３と共通しない電話番号のデータは書き換えられない。
【００４４】
このように、携帯電話２０にＵＩＭカード１０を装着する度に、携帯電話２０の電話帳記億部２５の電話機電話帳データを、装着したＵＩＭカード１０のカード電話帳データ１３に基づいて更新する。
【００４５】
ステップＳ１０６で、カード電話帳データ１３の全てのデータをチェックした、すなわち、電話機電話帳データの更新処理が終了したと判定されると、ステップＳ１２４へ移行する。
【００４６】
ステップＳ１２４では、電話機電話帳データの頻度順データを、次のように更新する。すなわち、電話機電話帳データの本体部のデータを使用回数順に並べ替え（ソートし）、その使用回数の多い順に順位番号（図示せず）を付与する。そして、その順位より所定数の電話番号データを抽出して、頻度順データを書き換えることにより更新する。
【００４７】
次に、ステップＳ１２６では、電話機電話帳データの履歴順データを、次のように更新する。すなわち、電話機電話帳データの本体部のデータを最終使用日順にソートし、その最終使用日順に履歴順として順位番号を付与する。そしてその順位より所定数の電話番号データを抽出して、履歴順データに書き換えることにより更新する。
【００４８】
すなわち、使用回数および最終使用日のデータ更新の後、ステップＳ１２４，Ｓ１２６の処理の結果、図９の例では、使用回数の多い順に、番号Ｅ，Ｆ，Ｖ，Ｘ，・・・と頻度順データを更新し、同様に、最終使用日順に、番号Ｆ，Ｓ，Ｅ，Ｖ，・・・と履歴順データを更新する。
【００４９】
次に、ステップＳ１２８で、ＵＩＭカード１０のカード電話帳データ１３の領域ＲＢを電話機電話帳データの頻度順データによって更新する。ただし、領域ＲＡと電話番号が重複しないようにする。
【００５０】
さらに、ステップＳ１３０で、カード電話帳データ１３の領域ＲＣを電話機電話帳データの履歴順データによって更新する。ただし、領域ＲＡおよびＲＢのデータと重複しないようにする。
【００５１】
このＵＩＭカード１０のカード電話帳データの更新方法を、図９，１０を参照して説明する。　図１０は、上述したように携帯電話２０Ｂへ図７のカード電話帳データを有するＵＩＭカード１０を装着した直後に、図９に示す電話機電話帳データの更新と共に行われるカード電話帳データ１３の更新結果を示したものである。
【００５２】
図１０において、領域ＲＢは、図９に示した電話機電話帳の頻度順データに基づき、使用回数の多い順に、番号Ｅ，Ｆ，Ｖが抽出されて書き換えられ、次に、領域ＲＣが、図９の履歴順データより、領域ＲＡおよびＲＢのデータと重複しない番号Ｓ，Ｒが抽出されて書き換えられる。
【００５３】
すなわち、番号Ｘは領域ＲＡにあるため、領域ＲＢおよびＲＣには抽出されず、番号Ｆ，Ｅ，Ｖは領域ＲＢで抽出されたため領域ＲＣには抽出されない。
【００５４】
なお、図１０で領域ＲＣの番号Ｒは、図９における履歴順データに明示されていないデータであるが、本体部データに既に、最終使用日順に履歴順が更新格納されているので、その履歴順を参照することにより直ちに領域ＲＣ用データとして抽出できる。
【００５５】
なお、ＵＩＭカード１０のカード電話帳データ１３におけるデータ入替可能領域である領域ＲＢおよびＲＣのデータ数は、図７および図１０ではそれぞれ３つの例を示したが、これに限らずカードの記憶容量との関係から、適宜決定することができる。
【００５６】
ステップＳ１３０が終了すると、ＵＩＭカード１０を携帯電話２０へ装着した直後の、メモリチェックによる電話帳記憶部２５の電話機電話帳データおよびカード電話帳データ１３の更新処理が終了する。
【００５７】
以上説明したように、本実施形態では、カード電話帳データ１３に記憶された電話番号毎に、携帯電話２０の電話帳記憶部２５の各電話番号とを比較し、一致した電話帳記憶部２５の電話機電話帳データにおける電話番号の最終使用日および使用回数を、それぞれカード電話帳データ１３の最新の使用日データおよび使用回数の多い方のデータにより更新する。
【００５８】
さらに、カード電話帳データ１３の入替可能領域としての領域ＲＢ、ＲＣのデータを、それぞれ電話帳記憶部２５の頻度順データおよび履歴順データにより書き換えることにより更新する。
【００５９】
このように、ＵＩＭカード１０を携帯電話２０に装着する度に、携帯電話２０が記憶する電話機電話帳データの頻度データおよび履歴データをＵＩＭカード１０のカード電話帳データに基づき更新すると共に、ＵＩＭカード１０のカード電話帳データ１３のうち頻度順および履歴順のデータを装着した携帯電話２０の頻度順および履歴順のデータにより書き換えることにより、携帯電話２０の電話機電話帳データをＵＩＭカード１０の使用者の最新の使用状況に更新でき、一方、ＵＩＭカード１０のカード電話帳データに、使用した携帯電話２０の電話機電話帳データを格納することにより、別の携帯電話の電話帳データの更新データに利用できる。
【００６０】
このようにして、使用する携帯電話が代わっても、ＵＩＭカード１０の使用者が使用する電話帳データを常に最新状態に保つことができる。
【００６１】
次に、携帯電話２０において、電話帳データ内の電話番号を選択して電話をかけた場合の電話帳データの更新処理を、図５のフローチャートを用いて説明する。
【００６２】
ステップＳ２００で、相手先の電話番号を抽出するために電話帳記憶部２５の電話機電話帳データをＬＣＤ２３で順次表示し、使用者がかけたい相手先の電話番号が無ければステップＳ２１０へ移行し、有れば、すなわち、使用者がＬＣＤ２３上でキー入力部２４からの入力によって所望の電話番号を指定すれば、ステップＳ２０２で指定された電話番号へ発信する。
【００６３】
それと共に、ステップＳ２０４で、電話帳記憶部２５の電話機電話帳データの本体部データにおいて、通話先の電話番号データとして使用回数および最終使用日の更新、および最終使用日の履歴順位の更新を行う。
【００６４】
さらに、ステップＳ２０６で、電話帳記憶部２５の電話機電話帳データの頻度順データおよび履歴順データの内容を、ステップＳ２０４で更新された本体部データに基づき、上記ステップＳ１２４、Ｓ１２６と同様の処理により更新する。
【００６５】
次に、ステップ２０８で、ＵＩＭカード１０のカード電話帳データ１３を上記ステップＳ２０４およびＳ２０６で更新された電話帳記憶部２５のデータに基づき、前記ステップＳ１２８およびＳ１３０における処理と同様に更新する。
【００６６】
前記ステップＳ２００で、電話帳記億部２５の電話機電話帳データに使用者がかけたい相手先の電話番号がなかった場合は、ステップＳ２１０において、カード電話帳データ１３をＬＣＤ２３で順次表示し、その表示された電話帳リスト中に使用者がかけたい相手先の電話番号がなければこのルーチンを終了し、有ればステップＳ２１２で、上記ステップＳ２０２と同様に、指定された電話番号へ発信する。
【００６７】
それと共に、ステップＳ２１４で、カード電話帳データ１３の通信先の電話番号の使用回数および最終使用日のデータを更新し、このルーチンを終了する。
【００６８】
なお、ステップＳ２１２で発信した電話番号は、携帯電話２０の電話機電話帳データに掲載されていない電話番号であり、カード電話帳データ１３において入替不可の領域ＲＡに掲載されている電話番号である。
【００６９】
したがって、電話帳データの更新は、カード電話帳データのみの更新で終了することになる。
【００７０】
以上の一連の動作の流れを、段階毎に簡潔にまとめて説明する。なお、簡単のために、携帯電話２０Ａおよび２０Ｂを単にＡおよびＢ、夫々の電話機電話帳データを電話帳Ａおよび電話帳Ｂと表わし、ＵＩＭカード１０をＣ、そのカード電話帳データをカードＣと表わす。
【００７１】
（１）ＡにＣを装着→（２）電話帳ＡをカードＣの共通電話番号のデータで更新→（３）電話帳Ａの頻度順データ、履歴順データを更新→（４）カードＣの領域ＲＢ（頻度順）、ＲＣ（履歴順）を電話帳Ａの更新されたデータで更新。
【００７２】
上記（２）により、電話帳ＡとカードＣとは共通の番号に関し最新の通信履歴である電話使用状態を共有できる。また、上記（４）により、カードＣには電話帳Ａでの最新の使用状態が反映される。
【００７３】
次に、（５）ＣをＢへ差し替え装着→（６）電話帳ＢをカードＣの共通電話番号のデータで更新→電話帳Ｂの頻度順データ、履歴順データを更新→（７）カードＣの領域ＲＢ（頻度順）、ＲＣ（履歴順）を電話帳Ｂの更新されたデータで更新。
【００７４】
上記（６）により、電話帳ＢとカードＣとは共通の番号に関し最新の（すなわち主にカードＣの）通信履歴である電話使用状態を共有できる。また、上記（７）により、カードＣには電話帳Ｂでの最新の使用状態が反映される。
【００７５】
次に、（８）Ｂより電話帳Ｂ内の番号へ通話→（９）電話帳Ｂを通話履歴に基づき頻度順、履歴順データの更新→（１０）カードＣの領域ＲＢ，ＲＣを電話帳Ｂの更新されたデータで更新。
【００７６】
上記（９）により、電話帳Ｂには通信履歴が逐次更新され、その結果（１０）でカードＣもその電話帳Ｂと同じ通信履歴を共有することができる。
【００７７】
なお、上記（８）以下は、次のようにすることができる。（８’）ＢよりカードＣ内の番号へ通話→（９’）カードＣを通話履歴に基づき頻度順、履歴順データの更新。
【００７８】
このように、カードが電話機に装着されるたびに、電話機とカードとは共通電話番号に関して最新使用状態に更新されたデータを共有すると共に、カードは電話機の最新の頻度順データおよび履歴順データを有することができるので、カードを別の電話機に差し替えることにより、その別の電話機は、差し替える前の電話機の最新の使用状態が反映されたカードとの共通の電話番号に関して、最新の使用状態を共有できる。
【００７９】
また、カードを差し替えた後に、使用頻度が高いあるいは最近使用した電話番号に電話をかける場合、カードの電話帳データを利用して、すなわち、電話番号をはじめから入力する必要がなく、簡便にかけることが可能になる。
【００８０】
上記フローチャートで表わされたプログラムは、携帯電話２０の制御部２１とＵＩＭカード１０のカード制御部１４とが、協同して実行する。
【００８１】
上述のように、本実施形態では、電話帳記億部２５の電話機電話帳データにおける頻度順データおよび履歴順データは、本体部データのみの頻度順および履歴順であったが、これに限らず、ＵＩＭカード１０のカード電話帳データまで範囲を広げて頻度順および履歴順データを作成してもよい。
【００８２】
これを例で示すと、図６に示す携帯電話２０Ａの本体部のデータと図７に示すＵＩＭカード１０のカード電話帳データとからは、図１１に示すように使用回数の第２位がカード電話帳データの番号Ｚの６回となるため、電話機電話帳データの頻度順データは、番号Ｅ，Ｚ，Ｆ，Ｇ，・・・となり、図６に示した例とは異なっている。その他は変更がない。
【００８３】
同様に、図８に示すデータを有する携帯電話２０Ｂに図７に示すデータを有するＵＩＭカード１０を装着したときに、更新される電話機電話帳データは、図１２に示すように、頻度順データにはカード電話帳データ１３の使用回数６回の番号Ｚが第２位に入るため、番号Ｅ，Ｚ，Ｆ，Ｖ，・・・と変更され、履歴順データには、番号Ｈが２００１／１２／０８で第２位に、番号Ｉが２００１／１２／０１で第４位に入るため、番号Ｆ，Ｈ，Ｓ，Ｉ，・・・となる。このように、夫々、図９に示した例と異なったデータとなっている。
【００８４】
ところで、上記電話機電話帳データの頻度順データおよび履歴順データは、図６他で、本体部データとは別の記憶領域にそれぞれ格納されているように説明したが、それに限らず、特に別の記憶領域を設けることなく本体部データのみでそれを実現することができる。
【００８５】
すなわち、本体部データを、使用回数値のデータをソートした結果の順位データ、すなわち頻度順データを、１レコードに含めるように変更することができる。
【００８６】
これにより、実質的に頻度順データおよび履歴順データをそれぞれ独立なデータ領域で形成することと同様に、本体部データの頻度順位または履歴順位に応じて、カード電話帳データ１３を更新することができる。
【００８７】
また、上記本実施形態では、ＵＩＭカード１０のカード電話データ１３の記憶領域を、電話番号の入替不可領域としての領域ＲＡと、入替可能領域としての領域、すなわち、頻度順データにより入替可能な領域ＲＢおよび履歴順データにより入替可能な領域ＲＣとに区別したが、これに限らない。例えば、入替可能領域を、頻度順または履歴順のいずれか１種類で作成してもよい。
【００８８】
また、上記本実施形態では、ＵＩＭカード１０のカード電話データ１３のデータ領域として、領域ＲＢを頻度順データ、領域ＲＣを履歴順データとしたが、これに限らず、領域ＲＢを履歴順データ、領域ＲＣを頻度順データとしてもよい。この場合は、まず履歴順にデータを抽出し、その後に、データの重複がないように、頻度順のデータを抽出することができる。
【図面の簡単な説明】
【図１】本発明の実施形態の構成を示す図である。
【図２】本発明の実施形態の、携帯電話にＵＩＭカードを装着したときの電話帳データの更新処理を示すフローチャートである。
【図３】本発明の実施形態の、携帯電話にＵＩＭカードを装着したときの電話帳データの更新処理を示すフローチャートである。
【図４】本発明の実施形態の、携帯電話にＵＩＭカードを装着したときの電話帳データの更新処理を示すフローチャートである。
【図５】本発明の実施形態の、電話をかけたときの電話帳データの更新処理を示すフローチャートである。
【図６】本発明の実施形態の、携帯電話内の電話機電話帳データの記憶形態の一例を示す図である。
【図７】本発明の実施形態の、ＵＩＭカード内のカード電話帳データの記憶形態の一例を示す図である。
【図８】本発明の実施形態の、ＵＩＭカードを装着する前の携帯電話２０Ｂ内の電話機電話帳データの記憶形態を示す図である。
【図９】本発明の実施形態の、図７のカード電話帳データを有するＵＩＭカードを装着した直後の更新された携帯電話２０Ｂ内の電話機電話帳データの記憶形態を示す図である。
【図１０】本発明の実施形態の、図７のカード電話帳データを有するＵＩＭカードを携帯電話２０Ｂに装着した直後の更新されたカード電話帳データの記憶形態を示す図である。
【図１１】本発明の実施形態の、携帯電話の電話機電話帳データの記憶形態の図６の例とは別の例を示す図である。
【図１２】本発明の実施形態の、携帯電話の電話機電話帳データの記憶形態の図９の例とは別の例を示す図である。
【符号の説明】
１０…ＵＩＭカード、１１…カード記憶部、１２…電話ＩＤ、
１３…カード電話帳（データ）、１４…カード制御部、
２０…携帯電話、２１…制御部、２２…通信部、２３…ＬＣＤ、
２４…キー入力部、２５…電話帳記憶部、２６…インターフェース部。
【図１】
2004088235.tif 000003
【図２】
2004088235.tif 000004
【図３】
2004088235.tif 000005
【図４】
2004088235.tif 000006
【図５】
2004088235.tif 000007
【図６】
2004088235.tif 000008
【図７】
2004088235.tif 000009
【図８】
2004088235.tif 000010
【図９】
2004088235.tif 000011
【図１０】
2004088235.tif 000012
【図１１】
2004088235.tif 000013
【図１２】
2004088235.tif 000014